(57)【特許請求の範囲】
【請求項１】
集中定数素子からなるインダクタとキャパシタとを含み、両端が接地された複数の直列共振回路と、
前記複数の直列共振回路の一の直列共振回路における互いに対称的な位置に接続された一対の平衡端子と、
前記一の直列共振回路とは異なる他の直列共振回路に接続された不平衡端子と
を備え、
前記複数の直列共振回路のそれぞれにおいて、中央に前記キャパシタが１つ配置されると共に、前記キャパシタの両端側に対称的に前記インダクタが１つずつ配置され、前記キャパシタの一端に一方の前記インダクタの一端が接続され、前記キャパシタの他端に他方の前記インダクタの一端が接続され、前記一方のインダクタの他端と前記他方のインダクタの他端は接地され、前記一方のインダクタのインダクタンスと前記他方のインダクタのインダクタンスとが同一とされており、
互いの前記一方のインダクタ同士が互いに磁界結合すると共に、互いの前記他方のインダクタ同士が磁界結合することにより、前記複数の直列共振回路同士が並列的に磁界結合され、
前記一対の平衡端子は、その一方の平衡端子が前記一の直列共振回路における前記一方のインダクタに接続されると共に、他方の平衡端子が前記一の直列共振回路における前記他方のインダクタに接続されているか、または、その一方の平衡端子が前記一の直列共振回路における前記キャパシタの一端と前記一方のインダクタの一端との間に接続されると共に、他方の平衡端子が前記一の直列共振回路における前記キャパシタの他端と前記他方のインダクタの一端との間に接続されているか、のいずれかにより、前記一の直列共振回路において中央の前記キャパシタに対して対称的な位置に接続され、
前記不平衡端子は、前記他の直列共振回路における前記一方のインダクタに接続されているか、または前記キャパシタの一端と前記一方のインダクタの一端との間に接続されている
ことを特徴とする集中定数型バンドパスフィルタ。
【請求項２】
集中定数素子からなるインダクタとキャパシタとを含み、両端が接地された複数の直列共振回路と、
隣り合う前記直列共振回路間に２つずつ互いに対称的に配置された結合用キャパシタと、
前記複数の直列共振回路の一の直列共振回路における互いに対称的な位置に接続された一対の平衡端子と、
前記一の直列共振回路とは異なる他の直列共振回路に接続された不平衡端子と
を備え、
前記複数の直列共振回路のそれぞれにおいて、中央に前記キャパシタが１つ配置されると共に、前記キャパシタの両端側に対称的に前記インダクタが１つずつ配置され、前記キャパシタの一端に一方の前記インダクタの一端が接続され、前記キャパシタの他端に他方の前記インダクタの一端が接続され、前記一方のインダクタの他端と前記他方のインダクタの他端は接地され、前記一方のインダクタのインダクタンスと前記他方のインダクタのインダクタンスとが同一とされており、
隣り合う前記直列共振回路間において、互いの前記キャパシタの一端と前記一方のインダクタの一端との間同士が一方の前記結合用キャパシタを介して接続され、互いの前記キャパシタの他端と前記他方のインダクタの一端との間が他方の前記結合用キャパシタを介して接続されることにより、前記複数の直列共振回路同士が並列的に電界結合され、
前記一方の結合用キャパシタのキャパシタンスと前記他方の結合用キャパシタのキャパシタンスとが同一とされており、
前記一対の平衡端子は、その一方の平衡端子が前記一の直列共振回路における前記一方のインダクタに接続されると共に、他方の平衡端子が前記一の直列共振回路における前記他方のインダクタに接続されているか、または、その一方の平衡端子が前記一の直列共振回路における前記キャパシタの一端と前記一方のインダクタの一端との間に接続されると共に、他方の平衡端子が前記一の直列共振回路における前記キャパシタの他端と前記他方のインダクタの一端との間に接続されているか、のいずれかにより、前記一の直列共振回路において中央の前記キャパシタに対して対称的な位置に接続され、
前記不平衡端子は、前記他の直列共振回路における前記一方のインダクタに接続されているか、または前記キャパシタの一端と前記一方のインダクタの一端との間に接続されている
ことを特徴とする集中定数型バンドパスフィルタ。
【請求項３】
集中定数素子からなるインダクタとキャパシタとを含み、両端が接地された複数の直列共振回路と、
隣り合う前記直列共振回路間に２つずつ互いに対称的に配置された結合用導電線と、
前記複数の直列共振回路の一の直列共振回路における互いに対称的な位置に接続された一対の平衡端子と、
前記一の直列共振回路とは異なる他の直列共振回路に接続された不平衡端子と
を備え、
前記複数の直列共振回路のそれぞれにおいて、中央に前記キャパシタが１つ配置されると共に、前記キャパシタの両端側に対称的に前記インダクタが１つずつ配置され、前記キャパシタの一端に一方の前記インダクタの一端が接続され、前記キャパシタの他端に他方の前記インダクタの一端が接続され、前記一方のインダクタの他端と前記他方のインダクタの他端は接地され、前記一方のインダクタのインダクタンスと前記他方のインダクタのインダクタンスとが同一とされており、
隣り合う前記直列共振回路間において、互いの前記一方のインダクタ同士が一方の前記結合用導電線を介して互いに導電線結合すると共に、互いの前記他方のインダクタ同士が他方の前記結合用導電線を介して互いに導電線結合することにより、前記複数の直列共振回路同士が並列的に導電線結合され、
前記一対の平衡端子は、その一方の平衡端子が前記一の直列共振回路における前記一方のインダクタに接続されると共に、他方の平衡端子が前記一の直列共振回路における前記他方のインダクタに接続されているか、または、その一方の平衡端子が前記一の直列共振回路における前記キャパシタの一端と前記一方のインダクタの一端との間に接続されると共に、他方の平衡端子が前記一の直列共振回路における前記キャパシタの他端と前記他方のインダクタの一端との間に接続されているか、のいずれかにより、前記一の直列共振回路において中央の前記キャパシタに対して対称的な位置に接続され、
前記不平衡端子は、前記他の直列共振回路における前記一方のインダクタに接続されているか、または前記キャパシタの一端と前記一方のインダクタの一端との間に接続されている
ことを特徴とする集中定数型バンドパスフィルタ。
【請求項４】
集中定数素子からなるインダクタとキャパシタとを含み、両端が接地された複数の直列共振回路と、
前記複数の直列共振回路の一の直列共振回路における互いに対称的な位置に接続された第１の一対の平衡端子と、
前記一の直列共振回路とは異なる他の直列共振回路における互いに対称的な位置に接続された第２の一対の平衡端子と
を備え、
前記複数の直列共振回路のそれぞれにおいて、中央に前記キャパシタが１つ配置されると共に、前記キャパシタの両端側に対称的に前記インダクタが１つずつ配置され、前記キャパシタの一端に一方の前記インダクタの一端が接続され、前記キャパシタの他端に他方の前記インダクタの一端が接続され、前記一方のインダクタの他端と前記他方のインダクタの他端は接地され、前記一方のインダクタのインダクタンスと前記他方のインダクタのインダクタンスとが同一とされており、
互いの前記一方のインダクタ同士が互いに磁界結合すると共に、互いの前記他方のインダクタ同士が磁界結合することにより、前記複数の直列共振回路同士が並列的に磁界結合され、
前記第１の一対の平衡端子は、その一方の平衡端子が前記一の直列共振回路における前記一方のインダクタに接続されると共に、他方の平衡端子が前記一の直列共振回路における前記他方のインダクタに接続されているか、または、その一方の平衡端子が前記一の直列共振回路における前記キャパシタの一端と前記一方のインダクタの一端との間に接続されると共に、他方の平衡端子が前記一の直列共振回路における前記キャパシタの他端と前記他方のインダクタの一端との間に接続されているか、のいずれかにより、前記一の直列共振回路において中央の前記キャパシタに対して対称的な位置に接続され、
前記第２の一対の平衡端子は、その一方の平衡端子が前記他の直列共振回路における前記一方のインダクタに接続されると共に、他方の平衡端子が前記他の直列共振回路における前記他方のインダクタに接続されているか、または、その一方の平衡端子が前記他の直列共振回路における前記キャパシタの一端と前記一方のインダクタの一端との間に接続されると共に、他方の平衡端子が前記他の直列共振回路における前記キャパシタの他端と前記他方のインダクタの一端との間に接続されているか、のいずれかにより、前記他の直列共振回路において中央の前記キャパシタに対して対称的な位置に接続されている
ことを特徴とする集中定数型バンドパスフィルタ。
【請求項５】
集中定数素子からなるインダクタとキャパシタとを含み、両端が接地された複数の直列共振回路と、
隣り合う前記直列共振回路間に２つずつ互いに対称的に配置された結合用キャパシタと、
前記複数の直列共振回路の一の直列共振回路における互いに対称的な位置に接続された第１の一対の平衡端子と、
前記一の直列共振回路とは異なる他の直列共振回路における互いに対称的な位置に接続された第２の一対の平衡端子と
を備え、
前記複数の直列共振回路のそれぞれにおいて、中央に前記キャパシタが１つ配置されると共に、前記キャパシタの両端側に対称的に前記インダクタが１つずつ配置され、前記キャパシタの一端に一方の前記インダクタの一端が接続され、前記キャパシタの他端に他方の前記インダクタの一端が接続され、前記一方のインダクタの他端と前記他方のインダクタの他端は接地され、前記一方のインダクタのインダクタンスと前記他方のインダクタのインダクタンスとが同一とされており、
隣り合う前記直列共振回路間において、互いの前記キャパシタの一端と前記一方のインダクタの一端との間同士が一方の前記結合用キャパシタを介して接続され、互いの前記キャパシタの他端と前記他方のインダクタの一端との間が他方の前記結合用キャパシタを介して接続されることにより、前記複数の直列共振回路同士が並列的に電界結合され、
前記一方の結合用キャパシタのキャパシタンスと前記他方の結合用キャパシタのキャパシタンスとが同一とされており、
前記第１の一対の平衡端子は、その一方の平衡端子が前記一の直列共振回路における前記一方のインダクタに接続されると共に、他方の平衡端子が前記一の直列共振回路における前記他方のインダクタに接続されているか、または、その一方の平衡端子が前記一の直列共振回路における前記キャパシタの一端と前記一方のインダクタの一端との間に接続されると共に、他方の平衡端子が前記一の直列共振回路における前記キャパシタの他端と前記他方のインダクタの一端との間に接続されているか、のいずれかにより、前記一の直列共振回路において中央の前記キャパシタに対して対称的な位置に接続され、
前記第２の一対の平衡端子は、その一方の平衡端子が前記他の直列共振回路における前記一方のインダクタに接続されると共に、他方の平衡端子が前記他の直列共振回路における前記他方のインダクタに接続されているか、または、その一方の平衡端子が前記他の直列共振回路における前記キャパシタの一端と前記一方のインダクタの一端との間に接続されると共に、他方の平衡端子が前記他の直列共振回路における前記キャパシタの他端と前記他方のインダクタの一端との間に接続されているか、のいずれかにより、前記他の直列共振回路において中央の前記キャパシタに対して対称的な位置に接続されている
ことを特徴とする集中定数型バンドパスフィルタ。
【請求項６】
集中定数素子からなるインダクタとキャパシタとを含み、両端が接地された複数の直列共振回路と、
隣り合う前記直列共振回路間に２つずつ互いに対称的に配置された結合用導電線と、
前記複数の直列共振回路の一の直列共振回路における互いに対称的な位置に接続された第１の一対の平衡端子と、
前記一の直列共振回路とは異なる他の直列共振回路における互いに対称的な位置に接続された第２の一対の平衡端子と
を備え、
前記複数の直列共振回路のそれぞれにおいて、中央に前記キャパシタが１つ配置されると共に、前記キャパシタの両端側に対称的に前記インダクタが１つずつ配置され、前記キャパシタの一端に一方の前記インダクタの一端が接続され、前記キャパシタの他端に他方の前記インダクタの一端が接続され、前記一方のインダクタの他端と前記他方のインダクタの他端は接地され、前記一方のインダクタのインダクタンスと前記他方のインダクタのインダクタンスとが同一とされており、
隣り合う前記直列共振回路間において、互いの前記一方のインダクタ同士が一方の前記結合用導電線を介して互いに導電線結合すると共に、互いの前記他方のインダクタ同士が他方の前記結合用導電線を介して互いに導電線結合することにより、前記複数の直列共振回路同士が並列的に導電線結合され、
前記第１の一対の平衡端子は、その一方の平衡端子が前記一の直列共振回路における前記一方のインダクタに接続されると共に、他方の平衡端子が前記一の直列共振回路における前記他方のインダクタに接続されているか、または、その一方の平衡端子が前記一の直列共振回路における前記キャパシタの一端と前記一方のインダクタの一端との間に接続されると共に、他方の平衡端子が前記一の直列共振回路における前記キャパシタの他端と前記他方のインダクタの一端との間に接続されているか、のいずれかにより、前記一の直列共振回路において中央の前記キャパシタに対して対称的な位置に接続され、
前記第２の一対の平衡端子は、その一方の平衡端子が前記他の直列共振回路における前記一方のインダクタに接続されると共に、他方の平衡端子が前記他の直列共振回路における前記他方のインダクタに接続されているか、または、その一方の平衡端子が前記他の直列共振回路における前記キャパシタの一端と前記一方のインダクタの一端との間に接続されると共に、他方の平衡端子が前記他の直列共振回路における前記キャパシタの他端と前記他方のインダクタの一端との間に接続されているか、のいずれかにより、前記他の直列共振回路において中央の前記キャパシタに対して対称的な位置に接続されている
ことを特徴とする集中定数型バンドパスフィルタ。
【請求項７】
前記複数の直列共振回路のそれぞれにおいて、前記一方のインダクタが第１および第２の一方のインダクタに分割されていると共に、前記他方のインダクタが第１および第２の他方のインダクタに分割されており、
隣り合う前記直列共振回路間において、互いの前記第１の一方のインダクタと前記第２の一方のインダクタとの間同士が前記一方の結合用導電線を介して互いに導電線結合すると共に、互いの前記第１の他方のインダクタと前記第２の他方のインダクタとの間同士が前記他方の結合用導電線を介して互いに導電線結合することにより、前記複数の直列共振回路同士が並列的に導電線結合されている
ことを特徴とする請求項３に記載の集中定数型バンドパスフィルタ。
【請求項８】
前記一方の平衡端子に接続された第１の入出力用キャパシタと前記他方の平衡端子に接続された第２の入出力用キャパシタとをさらに備え、
前記一対の平衡端子が前記第１および第２の入出力用キャパシタを介して前記直列共振回路に電界結合されている
ことを特徴とする請求項１ないし３または７のいずれか１項に記載の集中定数型バンドパスフィルタ。
【請求項９】
前記複数の直列共振回路のそれぞれにおいて、前記一方のインダクタが第１および第２の一方のインダクタに分割されていると共に、前記他方のインダクタが第１および第２の他方のインダクタに分割されており、
隣り合う前記直列共振回路間において、互いの前記第１の一方のインダクタと前記第２の一方のインダクタとの間同士が前記一方の結合用導電線を介して互いに導電線結合すると共に、互いの前記第１の他方のインダクタと前記第２の他方のインダクタとの間同士が前記他方の結合用導電線を介して互いに導電線結合することにより、前記複数の直列共振回路同士が並列的に導電線結合されている
ことを特徴とする請求項６に記載の集中定数型バンドパスフィルタ。
【請求項１０】
少なくとも１つの第１の入出力用キャパシタと少なくとも１つの第２の入出力用キャパシタとをさらに備え、
前記第１の入出力用キャパシタは、前記第１の一対の平衡端子の一方の平衡端子または前記第２の一対の平衡端子の一方の平衡端子の少なくとも一方に対して設けられ、
前記第２の入出力用キャパシタは、前記第１の一対の平衡端子および前記第２の一対の平衡端子のうち前記第１の入出力用キャパシタが設けられた一対の平衡端子側における、他方の平衡端子に対して設けられ、
前記第１の一対の平衡端子または前記第２の一対の平衡端子の少なくとも一方が、前記第１および第２の入出力用キャパシタを介して前記直列共振回路に電界結合されている
ことを特徴とする請求項４ないし６または９のいずれか１項に記載の集中定数型バンドパスフィルタ。
【発明の詳細な説明】
【技術分野】
【０００１】
本発明は、集中定数素子を用いて構成された集中定数型バンドパスフィルタに関する。
【背景技術】
【０００２】
例えば携帯電話機等の無線通信機器に用いられるフィルタには小型化の要求がある。そのため、フィルタを構成する共振器にも、小型化が求められている。ここで、平衡端子を備えたフィルタとして、例えば不平衡入力−平衡出力型のバンドパスフィルタが知られている。このようなフィルタとして、バランを使用するものがある。バランは、不平衡信号（アンバランス信号）と平衡信号（バランス信号）とを相互変換するものである。なお、不平衡信号を伝送する線路では、ある基準電位（通常、グランド電位）に対する１本の信号線の電位により信号が伝送される。平衡信号を伝送する線路では、一対の信号線間の電位差により信号が伝送される。平衡信号は、一対の信号線間を伝送する各信号の位相が互いに１８０°異なり、かつ振幅がほぼ等しければ、一般にバランス特性に優れた状態といえる。
【０００３】
特許文献１ないし特許文献３には、バランを用いて構成されたフィルタが記載されている。これらの文献に記載のフィルタは、導体線路を用いた分布定数型のバランにＬＣ共振回路などからなるバンドパスフィルタを接続して構成されている。
【特許文献１】特開２００２−２１７６７０号公報
【特許文献２】特開２００２−２１７０３６号公報
【特許文献３】特開２００３−２０９４１３号公報
【発明の開示】
【発明が解決しようとする課題】
【０００４】
ここで、分布定数型のバランは例えば、両端が開放端とされた１／２波長（λ／２）共振器と、一端が短絡端、他端が開放端とされた第１および第２の１／４波長共振器とを組み合わせて構成される。このため、上記各文献に記載のフィルタは、フィルタ全体の大きさが各共振器を形成する導体線路の長さによって制限されてしまい、小型化が困難である。例えば特許文献１では、バンドパスフィルタ部分を集中定数回路からなるＬＣ共振器で構成しているが、その集中定数回路のフィルタ部分に分布定数型のバランを単純に接続した構造であるため、全体の大きさがバランの導体線路の長さによって制限されてしまい、やはり小型化が困難である。
【０００５】
本発明はかかる問題点に鑑みてなされたもので、その目的は、分布定数型のバランを用いることなく平衡信号の伝送を可能にし、かつ小型で伝送特性の優れた集中定数型バンドパスフィルタを提供することにある。
【課題を解決するための手段】
【０００６】
本発明の第１ないし第６の観点に係る集中定数型バンドパスフィルタは、集中定数素子からなるインダクタとキャパシタとを含み、両端が接地された複数の直列共振回路と、複数の直列共振回路の一の直列共振回路における互いに対称的な位置に接続された一対の平衡端子とを備え、複数の直列共振回路が互いに磁界結合、電界結合、または導電線結合するように並列的に配置されているものである。また、複数の直列共振回路のそれぞれにおいて、中央にキャパシタが１つ配置されると共に、キャパシタの両端側に対称的にインダクタが１つずつ配置され、キャパシタの一端に一方のインダクタの一端が接続され、キャパシタの他端に他方のインダクタの一端が接続され、一方のインダクタの他端と他方のインダクタの他端は接地され、一方のインダクタのインダクタンスと他方のインダクタのインダクタンスとが同一とされているものである。また、一対の平衡端子が、一の直列共振回路において中央のキャパシタに対して互いに対称的な位置に接続されているものである。
【０００７】
本発明の第１ないし第６の観点に係る集中定数型バンドパスフィルタでは、集中定数回路からなる複数の直列共振回路が互いに磁界結合、電界結合、または導電線結合するように並列的に配置されていることで、バンドパスフィルタ部が形成される。また、直列共振回路に一対の平衡端子が接続されていることで、分布定数型のバランを用いることなく平衡信号が伝送される。この場合において、複数の直列共振回路のそれぞれにおいて、インダクタおよびキャパシタが互いに対称的に配置され、かつ、一対の平衡端子が一の直列共振回路において中央のキャパシタに対して互いに対称的な位置に接続されていることで、バランス特性にも優れている。
【０００８】
本発明の第１ないし第３の観点に係る集中定数型バンドパスフィルタにおいて、一方の平衡端子に接続された第１の入出力用キャパシタと他方の平衡端子に接続された第２の入出力用キャパシタとをさらに備え、一対の平衡端子が第１および第２の入出力用キャパシタを介して直列共振回路に電界結合されていても良い。
また、本発明の第４ないし第６の観点に係る集中定数型バンドパスフィルタにおいて、少なくとも１つの第１の入出力用キャパシタと少なくとも１つの第２の入出力用キャパシタとをさらに備えていても良い。この場合、第１の入出力用キャパシタを、第１の一対の平衡端子の一方の平衡端子または第２の一対の平衡端子の一方の平衡端子の少なくとも一方に対して設けると共に、第２の入出力用キャパシタを、第１の一対の平衡端子および第２の一対の平衡端子のうち第１の入出力用キャパシタが設けられた一対の平衡端子側における、他方の平衡端子に対して設ける。これにより、第１の一対の平衡端子または第２の一対の平衡端子の少なくとも一方が、第１および第２の入出力用キャパシタを介して直列共振回路に電界結合される。
【０００９】
特に、本発明の第１および第４の観点に係る集中定数型バンドパスフィルタでは、複数の直列共振回路同士が互いのインダクタにより互いに磁界結合される。
また、本発明の第２および第５の観点に係る集中定数型バンドパスフィルタでは、隣り合う直列共振回路間に２つずつ互いに対称的に配置された結合用キャパシタを備えたことで、複数の直列共振回路同士が結合用キャパシタにより互いに電界結合される。
また、本発明の第３および第６の観点に係る集中定数型バンドパスフィルタでは、隣り合う複数の直列共振回路間に２つずつ互いに対称的に配置された結合用導電線を備えたことで、複数の直列共振回路同士が結合用導電線により導通される。
【００１０】
また、本発明の第１ないし第３の観点に係る集中定数型バンドパスフィルタでは、不平衡端子と一対の平衡端子とを備えたことで、不平衡入力−平衡出力型または平衡入力−不平衡出力型のフィルタを実現できる。
また、本発明の第４ないし第６の観点に係る集中定数型バンドパスフィルタでは、一対の平衡端子を２つ備えたことで、平衡入力−平衡出力型のフィルタを実現できる。
【発明の効果】
【００１１】
本発明の第１ないし第６の観点に係る集中定数型バンドパスフィルタによれば、集中定数回路からなる複数の直列共振回路を互いに磁界結合、電界結合、または導電線結合させて並列的に配置すると共に、一の直列共振回路に一対の平衡端子を接続するようにしたので、分布定数型のバランを用いることなく平衡信号の伝送を可能にし、かつ小型化が可能となる。また、複数の直列共振回路のそれぞれにおいて、インダクタおよびキャパシタを互いに対称的に配置し、かつ、一対の平衡端子を一の直列共振回路において中央のキャパシタに対して互いに対称的な位置に接続するようにしたので、伝送特性にも優れる。
【発明を実施するための最良の形態】
【００１２】
以下、本発明の実施の形態について図面を参照して詳細に説明する。
［第１の実施の形態］
【００１３】
まず、本発明の第１の実施の形態について説明する。
図１は、本実施の形態に係る集中定数型バンドパスフィルタの第１の構成例を示している。なお、本実施の形態では、入力端側または出力端側の一方にのみ平衡端子を備えると共に、他方に不平衡端子を備えた不平衡入力−平衡出力型または平衡入力−不平衡出力型のフィルタを例に説明する。この集中定数型バンドパスフィルタは、両端が接地された第１の直列共振回路１と、両端が接地された第２の直列共振回路２と、第１の直列共振回路１に接続された一対の平衡端子５１，５２と、第２の直列共振回路２に接続された不平衡端子５３と、第１の直列共振回路１および第２の直列共振回路２の間に配置された結合用キャパシタ４１Ｃ，４２Ｃとを備えている。このフィルタは例えば、不平衡端子５３を入力端子とし一対の平衡端子５１，５２を出力端子とすることで、全体として不平衡入力−平衡出力型のフィルタが構成される。または、不平衡端子５３を出力端子とし一対の平衡端子５１，５２を入力端子とすることで、全体として平衡入力−不平衡出力型のフィルタを構成しても良い。
【００１４】
第１の直列共振回路１および第２の直列共振回路２は、集中定数素子からなるインダクタとキャパシタとで構成され、中心線を対称線５０として、それぞれにおいてインダクタおよびキャパシタが互いに対称的に配置されている。すなわち、第１の直列共振回路１は、中央に配置されたインダクタ１０Ｌと、インダクタ１０Ｌの両端側に対称的に配置された２つのキャパシタ１１Ｃ，１２Ｃとで構成されている。インダクタ１０Ｌの一端に一方のキャパシタ１１Ｃの一端が接続され、他端に他方のキャパシタ１２Ｃの一端が接続されている。一方のキャパシタ１１Ｃの他端と他方のキャパシタ１２Ｃの他端は、接地されている。
【００１５】
第２の直列共振回路２も同様に、中央に配置されたインダクタ２０Ｌと、インダクタ２０Ｌの両端側に対称的に配置された２つのキャパシタ２１Ｃ，２２Ｃとで構成されている。インダクタ２０Ｌの一端に一方のキャパシタ２１Ｃの一端が接続され、他端に他方のキャパシタ２２Ｃの一端が接続されている。一方のキャパシタ２１Ｃの他端と他方のキャパシタ２２Ｃの他端は、接地されている。
【００１６】
なお、第１の直列共振回路１および第２の直列共振回路２において、対称的な位置にある各集中定数素子同士の回路値は同一となるように設定されている。すなわち、第１の直列共振回路１において、２つのキャパシタ１１Ｃ，１２Ｃのキャパシタンスは同一の値Ｃ０となっている。また、第２の直列共振回路２において、２つのキャパシタ２１Ｃ，２２Ｃのキャパシタンスは同一の値Ｃ０’となっている。また、インダクタ１０ＬのインダクタンスをＬ０、インダクタ２０ＬのインダクタンスをＬ０’とすると、以下の式を満足している。すなわち、第１の直列共振回路１および第２の直列共振回路２において、インダクタンスＬ０，Ｌ０’とキャパシタンスＣ０，Ｃ０’との積がほぼ同一の値となっている。なお、各回路値は、所望とするフィルタの特性、例えば中心周波数、帯域幅等に応じて決定される。
Ｌ０×Ｃ０≒Ｌ０’×Ｃ０’
【００１７】
一対の平衡端子５１，５２は、第１の直列共振回路１における互いに対称的な位置（対称線５０に対して対称的な位置）に接続されている。ここで、図１の第１の構成例では、一対の平衡端子５１，５２をインダクタ１０Ｌに接続しているが、接続位置はインダクタ１０Ｌ以外の位置であっても良い。例えば図２に示した第２の構成例のように、インダクタ１０Ｌと各キャパシタ１１Ｃ，１２Ｃとの間における対称的な位置に一対の平衡端子５１，５２を接続するようにしても良い。不平衡端子５３についても同様に、図１の第１の構成例では、第２の直列共振回路２におけるインダクタ２０Ｌに接続しているが、接続位置は図２に示したように例えば、インダクタ２０Ｌとキャパシタ２１Ｃとの間であっても良い。
【００１８】
また、図１の構成例では、各端子が直接的に第１の直列共振回路１および第２の直列共振回路２に接続されているが、端子の接続方法はこれに限らない。例えば図３の第３の構成例に示したように、入出力用キャパシタ６１Ｃ，６２Ｃ，６３Ｃをさらに備え、これらを介して一対の平衡端子５１，５２と不平衡端子５３とを第１の直列共振回路１および第２の直列共振回路２に電界結合して接続するようにしても良い。
【００１９】
第１の直列共振回路１および第２の直列共振回路２は、互いに電磁結合するように並列的に配置されている。ここで、図１の構成例では、インダクタ１０Ｌとインダクタ２０Ｌとが相互インダクタンスＭを有して互いに磁界結合されることにより、第１の直列共振回路１および第２の直列共振回路２が磁界結合されている。また、第１の直列共振回路１および第２の直列共振回路２との間で、２つの結合用キャパシタ４１Ｃ，４２Ｃが互いに対称的に配置され、第１の直列共振回路１および第２の直列共振回路２が結合用キャパシタ４１Ｃ，４２Ｃを介して電界結合されている。結合用キャパシタ４１Ｃ，４２Ｃのキャパシタンスは同一の値Ｃ１となっている。
【００２０】
このように、図１の第１の構成例では、第１の直列共振回路１および第２の直列共振回路２が、互いに磁界結合すると共に電界結合されている。ただし、第１の直列共振回路１および第２の直列共振回路２の結合方法はこれに限らない。
【００２１】
例えば図４の第４の構成例に示したように、結合用キャパシタ４１Ｃ，４２Ｃを構成要素から省き、インダクタ１０Ｌとインダクタ２０Ｌとによる磁界結合によってのみ結合されていても良い。逆に、図５の第５の構成例に示したように、インダクタ１０Ｌとインダクタ２０Ｌとに磁気シールドを施すなどして磁界結合しないようにし、結合用キャパシタ４１Ｃ，４２Ｃによる電界結合によってのみ結合するようにしても良い。
【００２２】
さらに、図６の第６の構成例に示したように、結合用キャパシタ４１Ｃ，４２Ｃに代えて結合用導電線４１，４２を備え、それらによる導電線結合であっても良い。結合用導電線４１，４２は、第１の直列共振回路１および第２の直列共振回路２との間で、互いに対称的に配置、接続され、第１の直列共振回路１および第２の直列共振回路２を互いに導通している。図６の第６の構成例では、結合用導電線４１，４２を接続しやすくするために、インダクタ１０Ｌとインダクタ２０Ｌとを複数に分割している。すなわち、第１の直列共振回路１側のインダクタ１０Ｌを、中央に配置された第１のインダクタ１０Ｌ−１とその両端に対称的に配置された第２および第３のインダクタ１０Ｌ−２，１０Ｌ−３とに分割している。そして、結合用導電線４１，４２の一端を第１のインダクタ１０Ｌ−１と第２および第３のインダクタ１０Ｌ−２，１０Ｌ−３との間に接続している。第２の直列共振回路２側のインダクタ２０Ｌについても同様に、中央に配置された第１のインダクタ２０Ｌ−１とその両端に対称的に配置された第２および第３のインダクタ２０Ｌ−２，２０Ｌ−３とに分割している。そして、結合用導電線４１，４２の他端を第１のインダクタ２０Ｌ−１と第２および第３のインダクタ２０Ｌ−２，２０Ｌ−３との間に接続している。
なお、インダクタ１０Ｌとインダクタ２０Ｌとを分割することなく、結合用導電線４１，４２がインダクタ１０Ｌとインダクタ２０Ｌとを構成する巻線に直接接続されていても良い。
【００２３】
なお、その他にも、磁界結合と導電線結合とを組み合わせた構成なども可能である。
【００２４】
以上の各構成例に係る集中定数型バンドパスフィルタでは、集中定数回路からなる第１の直列共振回路１および第２の直列共振回路２が互いに電磁結合するように並列的に配置されていることで、バンドパスフィルタ部が形成される。また、第１の直列共振回路１に一対の平衡端子５１，５２が接続されると共に、第２の直列共振回路２に不平衡端子５３が接続されていることで、分布定数型のバランを用いることなく平衡信号と不平衡信号とが相互変換して伝送される。すなわち、本実施の形態に係る集中定数型バンドパスフィルタでは、分布定数型のバランを用いることなく、バラン機能を有したバンドパスフィルタが構成される。この場合において、第１の直列共振回路１および第２の直列共振回路２で、インダクタおよびキャパシタが互いに対称的に配置され、かつ、一対の平衡端子５１，５２が第１の直列共振回路１における互いに対称的な位置に接続されていることで、バランス特性にも優れた特性が得られる。
【００２５】
以上説明したように、本実施の形態によれば、分布定数型のバランを用いることなく平衡信号の伝送を可能にし、かつ小型で伝送特性の優れた集中定数型バンドパスフィルタを提供できる。
【００２６】
なお、図１〜図６の各構成例では、直列共振回路を第１の直列共振回路１と第２の直列共振回路２との２つのみ備えた場合について説明したが、第１の直列共振回路１と第２の直列共振回路２との間の中間段にも直列共振回路を備え、全体として３つ以上の直列共振回路を電磁結合した構成であっても良い。
【００２７】
例えば図７に示した第７の構成例のように、第１の直列共振回路１と第２の直列共振回路２との間の中間段に、第３の直列共振回路３を備えていても良い。第３の直列共振回路３は、第１の直列共振回路１および第２の直列共振回路２と同様に、中央に配置されたインダクタ３０Ｌと、インダクタ３０Ｌの両端側に対称的に配置された２つのキャパシタ３１Ｃ，３２Ｃとで構成されている。インダクタ３０Ｌの一端に一方のキャパシタ３１Ｃの一端が接続され、他端に他方のキャパシタ３２Ｃの一端が接続されている。一方のキャパシタ３１Ｃの他端と他方のキャパシタ３２Ｃの他端は、接地されている。また、２つのキャパシタ３１Ｃ，３２Ｃのキャパシタンスは同一の値Ｃ２’となっている。また、インダクタ１０ＬのインダクタンスをＬ０、インダクタ２０ＬのインダクタンスをＬ０’、インダクタ３０ＬのインダクタンスをＬ２’とすると、以下の式を満足している。すなわち、第１の直列共振回路１および第２の直列共振回路２、ならびに第３の直列共振回路３において、インダクタンスＬ０，Ｌ０’，Ｌ２’とキャパシタンスＣ０，Ｃ０’，Ｃ２’との積がほぼ同一の値となっている。なお、各回路値は、所望とするフィルタの特性、例えば中心周波数、帯域幅等に応じて決定される。
Ｌ０×Ｃ０≒Ｌ０’×Ｃ０’≒Ｌ２’×Ｃ２’
【００２８】
なお、図７の構成例において、各直列共振回路間の結合は、上述の磁界結合、電界結合、および導電線結合のうちどれであっても良い。
【００２９】
さらに上記各構成例では、基本的に、１つのインダクタと２つのキャパシタとで構成された場合について説明したが、各直列共振回路において、さらに他の集中定数素子を追加した構成であっても良い。例えば第１の直列共振回路１において、中央に配置されたインダクタ１０Ｌと、インダクタ１０Ｌの両端側に対称的に配置された２つのキャパシタ１１Ｃ，１２Ｃとに加えてさらに、２つのキャパシタ１１Ｃ，１２Ｃの両端側に２つのインダクタを備え、それらインダクタの一端を接地するようにしても良い。
［第２の実施の形態］
【００３０】
次に、本発明の第２の実施の形態を説明する。なお、上記第１の実施の形態と実質的に同一の構成部分には同一の符号を付し、適宜説明を省略する。
【００３１】
上記第１の実施の形態では、各直列共振回路において、中央にインダクタを配置し、その両端側に他の集中定数素子を配置することで各直列共振回路内の構成を対称線５０に対して対称的な構成にしたが、本実施の形態は、中央にキャパシタを配置し、その両端側に他の集中定数素子を配置することで各直列共振回路内の構成を対称線５０に対して対称的な構成にしたものである。
【００３２】
図８は、本実施の形態に係る集中定数型バンドパスフィルタの第１の構成例を示している。この集中定数型バンドパスフィルタは、両端が接地された第１の直列共振回路１Ａと、両端が接地された第２の直列共振回路２Ａと、第１の直列共振回路１Ａに接続された一対の平衡端子５１，５２と、第２の直列共振回路２Ａに接続された不平衡端子５３と、第１の直列共振回路１Ａおよび第２の直列共振回路２Ａの間に配置された結合用キャパシタ４１Ｃ，４２Ｃとを備えている。このフィルタは例えば、不平衡端子５３を入力端子とし一対の平衡端子５１，５２を出力端子とすることで、全体として不平衡入力−平衡出力型のフィルタが構成される。または、不平衡端子５３を出力端子とし一対の平衡端子５１，５２を入力端子とすることで、全体として平衡入力−不平衡出力型のフィルタを構成しても良い。
【００３３】
第１の直列共振回路１Ａおよび第２の直列共振回路２Ａは、集中定数素子からなるインダクタとキャパシタとで構成され、中心線を対称線５０として、それぞれにおいてインダクタおよびキャパシタが互いに対称的に配置されている。すなわち、第１の直列共振回路１Ａは、中央に配置されたキャパシタ１０Ｃと、キャパシタ１０Ｃの両端側に対称的に配置された２つのインダクタ１１Ｌ，１２Ｌとで構成されている。キャパシタ１０Ｃの一端に一方のインダクタ１１Ｌの一端が接続され、他端に他方のインダクタ１２Ｌの一端が接続されている。一方のインダクタ１１Ｌの他端と他方のインダクタ１２Ｌの他端は、接地されている。
【００３４】
第２の直列共振回路２Ａも同様に、中央に配置されたキャパシタ２０Ｃと、キャパシタ２０Ｃの両端側に対称的に配置された２つのインダクタ２１Ｌ，２２Ｌとで構成されている。キャパシタ２０Ｃの一端に一方のインダクタ２１Ｌの一端が接続され、他端に他方のインダクタ２２Ｌの一端が接続されている。一方のインダクタ２１Ｌの他端と他方のインダクタ２２Ｌの他端は、接地されている。
【００３５】
なお、第１の直列共振回路１Ａおよび第２の直列共振回路２Ａにおいて、対称的な位置にある各集中定数素子同士の回路値は同一となるように設定されている。すなわち、第１の直列共振回路１Ａにおいて、２つのインダクタ１１Ｌ，１２Ｌのインダクタンスは同一の値Ｌ０となっている。また、第２の直列共振回路２Ａにおいて、２つのインダクタ２１Ｌ，２２Ｌのインダクタンスは同一の値Ｌ０’となっている。また、キャパシタ１０ＣのキャパシタンスをＣ０、キャパシタ２０ＣのキャパシタンスをＣ０’とすると、以下の式を満足している。すなわち、第１の直列共振回路１Ａおよび第２の直列共振回路２Ａにおいて、インダクタンスＬ０，Ｌ０’とキャパシタンスＣ０，Ｃ０’との積がほぼ同一の値となっている。なお、各回路値は、所望とするフィルタの特性、例えば中心周波数、帯域幅等に応じて決定される。
Ｌ０×Ｃ０≒Ｌ０’×Ｃ０’
【００３６】
一対の平衡端子５１，５２は、第１の直列共振回路１Ａにおける互いに対称的な位置（対称線５０に対して対称的な位置）に接続されている。ここで、図８の第１の構成例では、一対の平衡端子５１，５２をインダクタ１１Ｌ，１２Ｌに接続しているが、接続位置はインダクタ１１Ｌ，１２Ｌ以外の位置であっても良い。例えば図９に示した第２の構成例のように、キャパシタ１０Ｃと各インダクタ１１Ｌ，１２Ｌとの間における対称的な位置に一対の平衡端子５１，５２を接続するようにしても良い。不平衡端子５３についても同様に、図８の第１の構成例では、第２の直列共振回路２Ａにおける一方のインダクタ２１Ｌに接続しているが、接続位置は図９に示したように例えば、インダクタ２１Ｌとキャパシタ２０Ｃとの間であっても良い。
【００３７】
また、図８の構成例では、各端子が直接的に第１の直列共振回路１Ａおよび第２の直列共振回路２Ａに接続されているが、端子の接続方法はこれに限らない。例えば図１０の第３の構成例に示したように、入出力用キャパシタ６１Ｃ，６２Ｃ，６３Ｃをさらに備え、これらを介して一対の平衡端子５１，５２と不平衡端子５３とを第１の直列共振回路１Ａおよび第２の直列共振回路２Ａに電界結合して接続するようにしても良い。
【００３８】
第１の直列共振回路１Ａおよび第２の直列共振回路２Ａは、互いに電磁結合するように並列的に配置されている。ここで、図８の構成例では、一方のインダクタ１１Ｌ，２１Ｌ同士が相互インダクタンスＭを有して互いに磁界結合されると共に、他方のインダクタ１２Ｌ，２２Ｌ同士が相互インダクタンスＭを有して互いに磁界結合されることにより、第１の直列共振回路１Ａおよび第２の直列共振回路２Ａが磁界結合されている。また、第１の直列共振回路１Ａおよび第２の直列共振回路２Ａとの間で、２つの結合用キャパシタ４１Ｃ，４２Ｃが互いに対称的に配置され、第１の直列共振回路１Ａおよび第２の直列共振回路２Ａが結合用キャパシタ４１Ｃ，４２Ｃを介して電界結合されている。結合用キャパシタ４１Ｃ，４２Ｃのキャパシタンスは同一の値Ｃ１となっている。
【００３９】
このように、図８の第１の構成例では、第１の直列共振回路１Ａおよび第２の直列共振回路２Ａが、互いに磁界結合すると共に電界結合されている。ただし、第１の直列共振回路１Ａおよび第２の直列共振回路２Ａの結合方法はこれに限らない。
【００４０】
例えば図示は省略するが、結合用キャパシタ４１Ｃ，４２Ｃを構成要素から省き、インダクタ１１Ｌ，２１Ｌ同士およびインダクタ１２Ｌ，２２Ｌ同士による磁界結合によってのみ結合されていても良い。逆に、インダクタ１１Ｌ，２１Ｌとインダクタ１２Ｌ，２２Ｌとに磁気シールドを施すなどして磁界結合しないようにし、結合用キャパシタ４１Ｃ，４２Ｃによる電界結合によってのみ結合するようにしても良い。
【００４１】
さらに、図１１の第４の構成例に示したように、結合用キャパシタ４１Ｃ，４２Ｃに代えて結合用導電線４１，４２を備え、それらによる導電線結合であっても良い。結合用導電線４１，４２は、第１の直列共振回路１Ａおよび第２の直列共振回路２Ａとの間で、互いに対称的に配置、接続され、第１の直列共振回路１Ａおよび第２の直列共振回路２Ａを互いに導通している。図１１の第４の構成例では、結合用導電線４１，４２を接続しやすくするために、第１の直列共振回路１Ａにおいてインダクタ１１Ｌとインダクタ１２Ｌとを複数に分割している。すなわち、一方のインダクタ１１Ｌを、第１および第２のインダクタ１１Ｌ−１，１１Ｌ−２に分割している。そして、一方の結合用導電線４１の一端を第１および第２のインダクタ１１Ｌ−１，１１Ｌ−２の間に接続している。また、他方のインダクタ１２Ｌを、第１および第２のインダクタ１２Ｌ−１，１２Ｌ−２に分割している。そして、他方の結合用導電線４２の一端を第１および第２のインダクタ１２Ｌ−１，１２Ｌ−２の間に接続している。同様に、第２の直列共振回路２Ａにおいてインダクタ２１Ｌとインダクタ２２Ｌとを複数に分割している。すなわち、一方のインダクタ２１Ｌを、第１および第２のインダクタ２１Ｌ−１，２１Ｌ−２に分割している。そして、一方の結合用導電線４１の他端を第１および第２のインダクタ２１Ｌ−１，２１Ｌ−２の間に接続している。また、他方のインダクタ２２Ｌを、第１および第２のインダクタ２２Ｌ−１，２２Ｌ−２に分割している。そして、他方の結合用導電線４２の他端を第１および第２のインダクタ２２Ｌ−１，２２Ｌ−２の間に接続している。
なお、各インダクタを分割することなく、結合用導電線４１，４２がインダクタ１１Ｌ，１２Ｌおよびインダクタ２１Ｌ，２２Ｌを構成する巻線に直接接続されていても良い。
【００４２】
なお、その他にも、磁界結合と導電線結合とを組み合わせた構成なども可能である。
【００４３】
以上の各構成例に係る集中定数型バンドパスフィルタでは、集中定数回路からなる第１の直列共振回路１Ａおよび第２の直列共振回路２Ａが互いに電磁結合するように並列的に配置されていることで、バンドパスフィルタ部が形成される。また、第１の直列共振回路１Ａに一対の平衡端子５１，５２が接続されると共に、第２の直列共振回路２Ａに不平衡端子５３が接続されていることで、分布定数型のバランを用いることなく平衡信号と不平衡信号とが相互変換して伝送される。すなわち、本実施の形態に係る集中定数型バンドパスフィルタも、上記第１の実施の形態に係る集中定数型バンドパスフィルタと同様、分布定数型のバランを用いることなく、バラン機能を有したバンドパスフィルタが構成される。この場合において、第１の直列共振回路１Ａおよび第２の直列共振回路２Ａで、インダクタおよびキャパシタが互いに対称的に配置され、かつ、一対の平衡端子５１，５２が第１の直列共振回路１Ａにおける互いに対称的な位置に接続されていることで、バランス特性にも優れた特性が得られる。
【００４４】
以上説明したように、本実施の形態によれば、上記第１の実施の形態と同様に、分布定数型のバランを用いることなく平衡信号の伝送を可能にし、かつ小型で伝送特性の優れた集中定数型バンドパスフィルタを提供できる。
【００４５】
なお、図８〜図１１の各構成例では、直列共振回路を第１の直列共振回路１Ａと第２の直列共振回路２Ａとの２つのみ備えた場合について説明したが、第１の直列共振回路１Ａと第２の直列共振回路２Ａとの間の中間段にも直列共振回路を備え、全体として３つ以上の直列共振回路を電磁結合した構成であっても良い。
【００４６】
例えば図１２に示した第５の構成例のように、第１の直列共振回路１Ａと第２の直列共振回路２Ａとの間の中間段に、第３の直列共振回路３Ａを備えていても良い。第３の直列共振回路３Ａは、第１の直列共振回路１Ａおよび第２の直列共振回路２Ａと同様に、中央に配置されたキャパシタ３０Ｃと、キャパシタ３０Ｃの両端側に対称的に配置された２つのインダクタ３１Ｌ，３２Ｌとで構成されている。キャパシタ３０Ｃの一端に一方のインダクタ３１Ｌの一端が接続され、他端に他方のインダクタ３２Ｌの一端が接続されている。一方のインダクタ３１Ｌの他端と他方のインダクタ３２Ｌの他端は、接地されている。また、２つのインダクタ３１Ｌ，３２Ｌのインダクタンスは同一の値Ｌ２’となっている。また、キャパシタ１０ＣのキャパシタンスをＣ０、キャパシタ２０ＣのキャパシタンスをＣ０’、キャパシタ３０ＣのキャパシタンスをＣ２’とすると、以下の式を満足している。すなわち、第１の直列共振回路１Ａおよび第２の直列共振回路２Ａ、ならびに第３の直列共振回路３Ａにおいて、インダクタンスＬ０，Ｌ０’，Ｌ２’とキャパシタンスＣ０，Ｃ０’，Ｃ２’との積がほぼ同一の値となっている。なお、各回路値は、所望とするフィルタの特性、例えば中心周波数、帯域幅等に応じて決定される。
Ｌ０×Ｃ０≒Ｌ０’×Ｃ０’≒Ｌ２’×Ｃ２’
【００４７】
なお、図１２の構成例において、各直列共振回路間の結合は、上述の磁界結合、電界結合、および導電線結合のうちどれであっても良い。
【００４８】
さらに上記各構成例では、基本的に、１つのキャパシタと２つのインダクタとで構成された場合について説明したが、各直列共振回路において、さらに他の集中定数素子を追加した構成であっても良い。例えば第１の直列共振回路１Ａにおいて、中央に配置されたキャパシタ１０Ｃと、キャパシタ１０Ｃの両端側に対称的に配置された２つのインダクタ１１Ｌ，１２Ｌとに加えてさらに、２つのインダクタ１１Ｌ，１２Ｌの両端側に２つのキャパシタを備え、それらキャパシタの一端を接地するようにしても良い。
【００４９】
図１３は、本実施の形態に係る集中定数型バンドパスフィルタの第１の構成例（図８）でのＳパラメータ（振幅特性）を示している。横軸は周波数（ＧＨｚ）、縦軸は減衰量（ｄＢ）を示す。また、図１４は、位相バランス特性を示している。横軸は周波数（ＧＨｚ）、縦軸は位相バランス（ｄｅｇｒｅｅ）を示す。図１３から分かるように、５ＧＨｚ付近を通過帯域とした、良好な振幅特性が得られている。また、図１４から分かるように、通過帯域において良好なバランス特性が得られている。
【００５０】
本発明は、上記各実施の形態に限定されず種々の変形実施が可能である。例えば、上記各実施の形態では、不平衡入力−平衡出力型または平衡入力−不平衡出力型のフィルタを例に説明したが、本発明は、入力端または出力端の少なくとも一方に平衡端子を備えたフィルタに適用可能である。すなわち、入出力端双方を平衡端子にした平衡入力−平衡出力型のフィルタにも適用可能である。図１５は、図１の構成に対して第２の直列共振回路２側に端子５４を追加して、一対の平衡端子５３，５４とし、平衡入力−平衡出力型のフィルタを構成したものである。この端子部分を除いて構成は図１と同じである。図１６は、図８の構成に対して第２の直列共振回路２Ａ側に端子５４を追加して、一対の平衡端子５３，５４とし、平衡入力−平衡出力型のフィルタを構成したものである。この端子部分を除いて構成は図８と同じである。なお、図１および図８以外の各構成例にいても同様にして、平衡入力−平衡出力型のフィルタを構成することができる。
【図面の簡単な説明】
【００５１】
【図１】本発明の第１の実施の形態に係る集中定数型バンドパスフィルタの第１の構成例を示す回路図である。
【図２】本発明の第１の実施の形態に係る集中定数型バンドパスフィルタの第２の構成例を示す回路図である。
【図３】本発明の第１の実施の形態に係る集中定数型バンドパスフィルタの第３の構成例を示す回路図である。
【図４】本発明の第１の実施の形態に係る集中定数型バンドパスフィルタの第４の構成例を示す回路図である。
【図５】本発明の第１の実施の形態に係る集中定数型バンドパスフィルタの第５の構成例を示す回路図である。
【図６】本発明の第１の実施の形態に係る集中定数型バンドパスフィルタの第６の構成例を示す回路図である。
【図７】本発明の第１の実施の形態に係る集中定数型バンドパスフィルタの第７の構成例を示す回路図である。
【図８】本発明の第２の実施の形態に係る集中定数型バンドパスフィルタの第１の構成例を示す回路図である。
【図９】本発明の第２の実施の形態に係る集中定数型バンドパスフィルタの第２の構成例を示す回路図である。
【図１０】本発明の第２の実施の形態に係る集中定数型バンドパスフィルタの第３の構成例を示す回路図である。
【図１１】本発明の第２の実施の形態に係る集中定数型バンドパスフィルタの第４の構成例を示す回路図である。
【図１２】本発明の第２の実施の形態に係る集中定数型バンドパスフィルタの第５の構成例を示す回路図である。
【図１３】本発明の第２の実施の形態に係る集中定数型バンドパスフィルタの振幅特性を示す特性図である。
【図１４】本発明の第２の実施の形態に係る集中定数型バンドパスフィルタの位相特性を示す特性図である。
【図１５】本発明の第１の実施の形態に係る集中定数型バンドパスフィルタを平衡入力−平衡出力型に構成した例を示す回路図である。
【図１６】本発明の第２の実施の形態に係る集中定数型バンドパスフィルタを平衡入力−平衡出力型に構成した例を示す回路図である。
【符号の説明】
【００５２】
Ｍ…相互インダクタンス、１，１Ａ…第１の直列共振回路、２，２Ａ…第２の直列共振回路、１０Ｌ，２０Ｌ…インダクタ、１１Ｃ，１２Ｃ，２１Ｃ，２２Ｃ…キャパシタ、４１，４２…結合用導電線、４１Ｃ，４２Ｃ…結合用キャパシタ、５０…対称線、５１，５２…平衡端子。
【図１】
0004839925.tif 000002
【図２】
0004839925.tif 000003
【図３】
0004839925.tif 000004
【図４】
0004839925.tif 000005
【図５】
0004839925.tif 000006
【図６】
0004839925.tif 000007
【図７】
0004839925.tif 000008
【図８】
0004839925.tif 000009
【図９】
0004839925.tif 000010
【図１０】
0004839925.tif 000011
【図１１】
0004839925.tif 000012
【図１２】
0004839925.tif 000013
【図１３】
0004839925.tif 000014
【図１４】
0004839925.tif 000015
【図１５】
0004839925.tif 000016
【図１６】
0004839925.tif 000017